(57)【特許請求の範囲】
【請求項１】
床根太の上に床材が取り付けられた床を備えた部屋の壁に出入口が設けられ、この出入口に扉が取り付けられ、出入口の内側の床に防水パンが取り付けられたものであって、前記防水パンは防水パン本体と框材とからなり、この防水パン本体は、床面と、この床面の出入口に接する部分が床根太から扉下の沓摺り部分までの距離とほぼ同じ高さに立ち上げられた扉側縁部と、床面の床材に接する部分が床材の厚みとほぼ同じ高さに立ち上げられた床側縁部とからなり、出入口に隣接した床材が切り取られ、この床材の切り取られた部分の床根太の上に防水パン本体の床面を、沓摺りの上に扉側縁部を、床材の上に床側縁部をそれぞれ載せて防水パン本体が取り付けられ、床側縁部の上に床側縁部を覆った状態に框材が取り付けられ、前記出入口に隣接した床材及び床根太が切り取られ、床根太に平行して床材切欠き縁部となる部分で、一端を床梁に、他端を床小梁及び切り取られた床根太端部に固定する床根太接続部材を設け、その上に床材切欠き縁部が張設されたことを特徴とする勝手口の構造。
【請求項２】
前記出入口に隣接した床材が切り取られ、床根太に平行して床材切欠き縁部となる部分で床根太のない部分に、一端を床梁に、他端を床小梁に固定する床材受け部材を設け、その上に床材切欠き縁部が張設されたことを特徴とする請求項１に記載の勝手口の構造。
【請求項３】
前記防水パン本体が鋼板製であり、この防水パン本体の床面にタイルが貼られていることを特徴とする請求項１〜２のいずれかに記載の勝手口の構造。
【発明の詳細な説明】
【０００１】
【発明の属する技術分野】
この発明は勝手口の構造に関する。
特に、複数の建物ユニットを組み立てたユニット建物に好適な勝手口の構造に関する。
【０００２】
【従来の技術】
ユニット建物は、運搬可能な一定の大きさの箱形の、且つ、内部、外部の仕上げられた建物ユニットを、予め、工場で製造し、この建物ユニットの複数個を施工現場に運搬し、施工現場で上下左右に組み立てて建物となすものであって、現場施工期間が短く、且つ、寸法精度の良い標準化された建物となる特徴があることから、近年、広く採用されている。
【０００３】
このとき使用される建物ユニットとしては種々あるが、多く使用されている建物ユニットの骨格は、特公昭６１−４２０６１号公報に記載されているように、方形の四隅に配置した４本の鋼製の四角筒の柱と、この４本の柱の上端部を方形の辺に沿って連結した４本の鋼製の断面コ字形の天井梁と、この４本の柱の下端部を方形の辺に沿って連結した４本の鋼製の断面コ字形の床梁とからなるものである。そして、この相対する天井梁に天井野縁を差し渡し、この天井野縁の下面に天井材を取り付けて天井とし、相対する床梁に床小梁を差し渡し、この上に床根太を取り付け、この床根太の上に床材を取り付けて床とし、天井梁と床梁との間に間柱を取り付け、この間柱に壁パネルを取り付けて壁として、建物ユニットとなすのである。
【０００４】
このユニット建物のように床小梁の上に床根太を取り付け、この床根太の上に床材を取り付けた床を備えた建物の勝手口に取り付けるのに好適な防水パンとしては、実開昭５９−６７４３７号公報に記載あるように、外周に立上がり壁が設けられた皿状体と、この皿状体の床面に敷設されたタイルとからなる繊維強化プラスチック製のものが知られている。
この防水パンは、台所の壁に設けられた出入口の内側にある床材と床根太とを切り取り、この切り取った部分の床小梁の上に防水パンを取り付けて使用するものである。
【０００５】
【発明が解決しようとする課題】
上記の防水パンでは、床下地板と床根太とを切り取り、この切り取った部分の床小梁の上に上記防水パンを取り付けるようになっているために、防水パンの立上がり壁が床根太と床小梁との合計の高さとなり高い。従って、履物に付着した土等の埃が防水パンの床面に落下しても、この防水パンの床面の埃等が立上がり壁によって遮られて台所の床の上に上がり難く極めて便利であるが、床根太を切り取るために不都合なことが多い。
【０００６】
即ち、上記ユニット建物は勿論のこと、通常の建物においても、床小梁は、例えば、９００ｍｍピッチで取り付けられているというように、所々にしか取り付けられていない。従って、この防水パンを床小梁のある場所にしか取り付けることができないという問題がある。
【０００７】
更に、防水パンを安全に取り付けるためには、２本の床小梁の上に載せて取り付けることが重要であるが、このようにするためには、防水パンを床小梁のピッチ以上に大きくする必要があるし、しかも、このように２本の床小梁の上に載せて取り付けることのできる位置は限定される。従って、この防水パンを取り付ける建物では、この防水パンの大きさや防水パンの取付位置に制約されて、間取り等が自由に行えないという不便がある。
【０００８】
又、床小梁と隣の床小梁との間の距離が大きいために、この防水パンを２本の床小梁に載せて据え付けると、防水パンの床面が撓み易く、従って、床面の厚みを大きくする等の機械的強度を大きくする必要があり、高価になるという問題がある。
そこで、この発明の目的は、床根太を切り取らないでも簡単に取り付けることができ、しかも、防水パンの床面の埃等が部屋の床の上に上がり難い勝手口の構造を提供することである。
【０００９】
又、床根太を切り取らなくても、防水パンを安全に取り付けるためには、床材の切欠き縁部に床根太が取り付けられていることが必要になっている。ここでの床根太は、例えば３１６ｍｍピッチで取り付けられているというように、所々にしか取り付けられていない。従って、床材の切欠き縁部に床根太がかかるようにするためには防水パンの位置及び巾が限定されるという問題がある。
【００１０】
例えば、図１０（イ）に示すように、床材切欠き縁部が床根太で支えられているため安全に取り付けられるが、取付け位置、巾が限定される。一方、図１０（ロ）に示すように、床材切欠き縁部に床根太がなく、床材と床根太とが片持ちになっているので、防水パンが安全に取り付けられないという問題がある。そこで、床材切欠き縁部に床根太を追加しようとしても、図１０（ハ）に示すように、開口部間柱と追加する床根太と干渉し取り付けできない。
【００１１】
【課題を解決するための手段】
本発明は上記目的を達成するためになしたものであって、請求項１記載の発明は、床根太の上に床材が取り付けられた床を備えた部屋の壁に出入口が設けられ、この出入口に扉が取り付けられ、出入口の内側の床に防水パンが取り付けられたものであって、前記防水パンは防水パン本体と框材とからなり、この防水パン本体は、床面と、この床面の出入口に接する部分が床根太から扉下の沓摺り部分までの距離とほぼ同じ高さに立ち上げられた扉側縁部と、床面の床材に接する部分が床材の厚みとほぼ同じ高さに立ち上げられた床側縁部とからなり、出入口に隣接した床材が切り取られ、この床材の切り取られた部分の床根太の上に防水パン本体の床面を、沓摺りの上に扉側縁部を、床材の上に床側縁部をそれぞれ載せて防水パン本体が取り付けられ、床側縁部の上に床側縁部を覆った状態に框材が取り付けられ、前記出入口に隣接した床材及び床根太が切り取られ、床根太に平行して床材切欠き縁部となる部分で、一端を床梁に、他端を床小梁及び切り取られた床根太端部に固定する床根太接続部材を設け、その上に床材切欠き縁部が張設されているものである。
【００１２】
この請求項１記載の発明における床根太の上に床材が取り付けられた床を備えた部屋とは、勝手口が設けられる部屋のことであって、台所であってもよいし、その他の部屋であってもよい。
【００１３】
請求項２記載の発明は、請求項１記載の発明に係り、前記出入口に隣接した床材が切り取られ、床根太に平行して床材切欠き縁部となる部分で床根太のない部分に、一端を床梁に、他端を床小梁に固定する床材受け部材を設け、その上に床材切欠き縁部が張設されているものである。
【００１４】
請求項３記載の発明は、請求項１〜２の何れかに記載の発明に係り、前記防水パン本体が鋼板製であり、この防水パン本体の床面にタイルが貼られているものである。
この請求項３記載の発明における防水パンは鋼板製で、機械的強度が大きく、床面が撓み難くなっているが、それでも尚、機械的強度が不足する場合には、この防水パンの床面の下側に補強板を取り付けるとよいし、床根太の上面とほぼ同じ上面を備えた補強板を床小梁に取り付け、この床根太と補強板との上に防水パンを載せて取り付けてもよい。
【００１５】
【作用】
請求項１記載の発明は、出入口に隣接した床材が切り取られ、この床材の切り取られた部分の床根太の上に防水パン本体の床面が取り付けられている。
即ち、防水パン本体の床面が、例えば、３１６ｍｍピッチというように、床小梁より密に設けられている床根太の上に載っている。従って、防水パン本体の床面が撓み難いし、防水パン本体の機械的強度を従来より小さくすることができる。
【００１６】
又、扉側縁部は床面の出入口に接する部分が床根太から扉下の沓摺り部分までの距離とほぼ同じ高さに立ち上げられているものであるから、上記のように、防水パン本体の床面を床根太の上に載せると、無理なく、この扉側縁部を扉下の沓摺り部分の上に載せることができる。
又、床側縁部は床面の床材に接する部分が床材の厚みとほぼ同じ高さに立ち上げられているものであるから、上記のように、防水パン本体の床面を床根太の上に載せると、無理なく、この床側縁部を台所の床の上に載せることができる。
【００１７】
本発明では、このように床側縁部が床面から床材の高さだけ立ち上げられているから、従来の防水パンの立上がり壁より床根太の高さだけ低くなっていて、曲がりや撓みに対して弱い構造になっているが、防水パン本体の床面が床小梁より密に設けられている床根太の上に載っているので撓むことがない。
請求項１記載の発明では、床側縁部の上に床側縁部を覆った状態に框材が取り付けられているから、この框材の高さを高くすることにより、履物に付着した土等の埃が防水パンの床面に落下しても、この防水パンの床面の埃等が框材によって遮られて台所の床の上に上がり難いし、この框材によって床側縁部が隠れるので、この部分が美麗になる。
【００１８】
また、出入口に隣接した床材及び床根太が切り取られ、床根太に平行して床材切欠き縁部となる部分で、一端を床梁に、他端を床小梁及び切り取られた床根太端部に固定する床根太接続部材を設け、その上に床材切欠き縁部が張設されているものである。即ち、床材切欠き縁部の床根太が間柱を設ける為に切り取られた場合には、この床根太接続部材を後から取り付けることにより、床材と床根太（床根太接続部材含む）が片持ちにならず、防水パンを安全に取り付けることができる。
また、本発明の床根太接続部材は、例えば、床梁みぞ形鋼の下フランジで受けることにより、床梁直上に設けられた間柱と干渉することがなく、勝手口の取付け位置や巾に限定されず間取りの自由度が増す。
【００１９】
請求項２記載の発明では、出入口に隣接した床材が切り取られ、床根太に平行して床材切欠き縁部となる部分で床根太のない部分に、一端を床梁に、他端を床小梁に固定する床材受け部材を設け、その上に床材切欠き縁部が張設されているものである。即ち、床材切欠き縁部に床根太がない場合には、この床材受け部材を設けることにより、床材と床根太（床材受け部材含む）が片持ちにならず、防水パンを安全に取り付けることができる。
また、床材切欠き縁部に床根太がなくとも、本発明の床材受け部材を設けることにより、防水パンが安全に取り付けられるから、勝手口の取付け位置や巾に限定されず間取りの自由度が増す。
【００２０】
請求項３記載の発明では、防水パン本体が鋼板製であるから、この防水パン本体の機械的強度が大きく、撓み難い。
【００２１】
また、この請求項３記載の発明では、防水パン本体の床面にタイルが貼られているから、防水パン本体の床面が美麗になるし、錆びたり、傷つかない。
【００２２】
【発明の実施の形態】
次に、本発明の実施例を示す。
図１〜図６は本発明の一実施例を示すもので、図１（イ）は台所に使用される建物ユニットの勝手口の位置を示す説明図、（ロ）は勝手口近傍の水平断面図、（ハ）は（ロ）のＡ−Ａ線における断面図、（ニ）は（ロ）のＢ−Ｂ線における断面図、図２はユニット建物を示す説明図、図３は建物ユニットの骨格を示す説明図、図４（イ）は防水パン本体の平面図、（ロ）は（イ）のＣ−Ｃ線における断面図、（ハ）は（イ）のＤ−Ｄ線における断面図、図５は防水パン本体の床面に貼り付けられるタイルの配置を示す平面図、図６（イ）は框材の平面図、（ロ）は（イ）のＥ−Ｅ線における断面図である。
【００２３】
図１〜図６において、１は２階建てのユニット建物であり、このユニット建物１は、図２に示すように、基礎９の上に１階の建物ユニット２が据え付けられ、この１階の建物ユニット２の上に２階の建物ユニット２が据え付けられ、最上階の建物ユニット２の上に屋根パネル３が取り付けられたものである。
【００２４】
建物ユニット２の骨格は、図３に示すように、矩形の四隅に立設された４本の四角筒状の鋼製の柱２１、２１、２１、２１と、この４本の柱２１の下端部を方形の辺に沿って連結した４本の断面コ字形長尺体の鋼製の床梁２２、２２、２２、２２と、この４本の柱２１の上端部を方形の辺に沿って連結した４本の断面コ字形長尺体の鋼製の天井梁２３、２３、２３、２３とからなる。
【００２５】
そして、相対する床梁２２、２２に四角筒状の鋼製の床小梁２４が差し渡されて取り付けられ、この床小梁２４の上に木製の床根太２５が取り付けられ、この床根太２５の上に床材２６が取り付けられて床が形成されている。又、相対する天井梁２３、２３に木製の天井野縁２７が差し渡され、この天井野縁２７の下面に天井材２８が取り付けられて天井が形成されている。
【００２６】
又、壁を設ける場所には、床梁２２と天井梁２３との間に複数本の断面コ字形の鋼製の間柱２９が立設され、この間柱２９の内側に内壁パネル４が取り付けられ、間柱２９の外側に外壁パネル５が取り付けられ、この内壁パネル４と外壁パネル５との間に断熱材５５が取り付けられて壁が形成されている。
外壁パネル５は、図１（ロ）に一部が示されているように、断面ロ字形の長尺体を矩形状に組み立てた枠体５１の屋外側に硬質木片セメント板の外壁材５２が取り付けられたものであり、この外壁パネル５の枠体５１が間柱２９にリベットで取り付けられている。
【００２７】
内壁パネル４は、図１（ロ）に一部が示されているように、木材を矩形状に組み立てた枠体４１の屋内側に石膏ボートの内壁材４２が取り付けられたものであり、この内壁パネル４の内壁材４２の上から枠体４１を通して、間柱２９に取り付けた木レンガ４５に打ち込まれた釘で内壁パネル４が間柱２９に取り付けられている。
【００２８】
台所６に使用される建物ユニット２は、図１に示すように、床全体に合板の床材２６が取り付けられ、壁に出入口６２が設けられ、この出入口６２に扉６３が取り付けられ、出入口６２に隣接した床材２６が矩形状に切欠されている。
尚、出入口６２の屋内側には、上側と両側とに木製の断面Ｌ字形の額縁６５が取り付けられ、出入口６２の上側と両側とに鋼製の出入り枠６６が取り付けられ、この出入り枠６６は屋外側が間柱２９に、又、屋内側が額縁６５にそれぞれビスで取り付けられている。
【００２９】
そして、この出入り枠６６に扉６３が取り付けられている。又、出入り枠６６と外壁材５２との隙間にガスケット６９が取り付けられていて、この部分が水密になっている。又、出入口６２の下面の床梁２２には木材６７が取り付けられ、この木材６７に鋼製の沓摺り６８が取り付けられている。
７は防水パンであり、この防水パン７は鋼板製の防水パン本体７１と木粉入り硬質塩化ビニル樹脂製の框材７２と、鋼板製の補強板７３とからなる。
【００３０】
防水パン本体７１は、図４に示すように、床面７１１と、この床面７１１の出入口６２に接する部分が床根太２５から扉６３の下方の沓摺り６８部分までの距離とほぼ同じ高さに立ち上げられた扉側縁部７１２と、床面７１１の床材６１に接する部分（矩形の３辺）が床材６１の厚みとほぼ同じ高さに立ち上げられた床側縁部７１３とからなる。この扉側縁部７１２には５個の通孔７１５が設けられ、矩形に切り欠かれた３辺に設けられている床側縁部７１３には、それぞれ３個ずつの通孔７１６が設けられている。
【００３１】
框材７２は、図６に示すように、防水パン本体７１の床側縁部７１３を覆うことができるようにコ字形をしていて、断面は、図５（ロ）に示すように、内側がほぼ垂直に垂れ下げられたＬ字形をしている。
補強板７３は床根太２５と隣の床根太２５の間に入る大きさの板状体７３１と、この板状体７３１の両側に取り付けられた脚７３２とからなり、脚７３２の下端から板状体７３１の上面までまでの距離は床根太２５の高さとほぼ等しくなっている。従って、この補強板７３を床小梁２４の上に載せると、板状体７３１の上面は床根太２５の上面と面一になる。このようになっているので、防水パン７の床面７１１を床根太２５と補強板７３の板状体７３１の上に載せると、この防水パン７の床面７１１が撓まないようになっている。
又、この防水パン本体７１の床面７１１には排水孔７１９が設けられている。
【００３２】
８はタイルであり、このタイル８は、図５に示すように、防水パン本体７１の床面７１１に取り付けられている。尚、排水孔７１９の部分には、タイル８が円形状に切欠されている。
８５は化粧合板の床仕上げ材であり、この床仕上げ材８５は台所６の床材２６の上に取り付けられている。
【００３３】
次に、このユニット建物１の施工方法について説明する。
工場で建物ユニット２、屋根パネル３等を製造する。
この際の台所６に使用する建物ユニット２の製造方法について説明する。
４本の鋼製の柱２１を矩形の四隅に立設し、この４本の柱２１の下端部を鋼製の床梁２２で連結し、この４本の柱２１の上端部を鋼製の天井梁２３で連結して建物ユニット２の骨格を製造する。
【００３４】
そして、相対する床梁２２、２２に鋼製の床小梁２４を差し渡して取り付け、この床小梁２４の上に木製の床根太２５を取り付け、この床根太２５の上に合板の床材２６を取り付けて床を形成する。又、相対する天井梁２３、２３に木製の天井野縁２７を差し渡し、この天井野縁２７の下面に石膏ボードの天井材２８を取り付けて天井を形成する。
この際使用する床材２６としては、出入口６２に隣接した部分を矩形状に切欠したものを使用する。
【００３５】
又、壁を設ける場所には、床梁２２と天井梁２３との間に木レンガ４５が取り付けられた複数本の鋼製の間柱２９を立設する。
この間柱２９の屋外側に外壁パネル５を押し当て、屋内側から外壁パネル５の枠体５１をリベットで取り付ける。
断熱材５５を屋外側に取り付けた内壁パネル４を間柱２に取り付けられている。
木レンガ４５に押し当て、内壁材４２の上から枠体４１を通して木レンガ４５に釘を打ち込んで内壁パネル４を間柱２９に取り付ける。
尚、出入口６２となる場所には外壁パネル５と内壁パネル４を取り付けることなく、この部分を開口にしておく。
【００３６】
次に、この開口されている出入口６２の屋内側に額縁６５を取り付け、出入口６２の上側と両側とに鋼製の出入り枠６６を取り付け、この出入り枠６６の屋外側を間柱２９に、又、屋内側を額縁６５にそれぞれビスで取り付ける。
補強板７３を床材２６が切欠されている部分の床根太２５と隣の床根太２５の間に載せて取り付ける。
又、出入口６２の下面の床梁２２に木材６７を取り付け、この木材６７に鋼製の沓摺り６８を取り付ける。
【００３７】
框材７２を防水パン本体７１の床側縁部７１３の表面に当接させ、床側縁部７１３から螺入したビス７１７で、框材７２を床側縁部７１３に取り付ける。
この框材７２が取り付けられている防水パン本体７１の床面７１１を、図１に示すように、予め床材２６が切欠されている部分の床根太２５の上に、扉側縁部７１２を沓摺り６８の上に、床側縁部７１３を床材２６の上にそれぞれ載せる。
【００３８】
このように、防水パン本体７１の床面７１１を床根太２５の上に載せると、床側縁部７１３は床面７１１の床材２６に接する部分が床材２６の厚みとほぼ同じ高さに立ち上げられたものであるし、又、扉側縁部７１２は床面７１１の出入口に接する部分が床根太２５から扉６３下の沓摺り６８部分までの距離とほぼ同じ高さに立ち上げられたものであるから、無理なく、床側縁部７１３を台所の床材２６の上に載せることができるし、扉側縁部７１２を沓摺り６８の上に載せることができる。
【００３９】
次に、扉側縁部７１２に設けられている通孔７１５から木材６７にビス９１９を螺入し、又、框材７２の上から床側縁部７１３に設けられている通孔７１６を通して床下地板２６にビス７１８を螺入して防水パン本体７１を取り付ける。
すると、防水パン本体７１の床面７１１が間隔の小さい床根太２５の上に載るし、防水パン本体７１が鋼板製であり、しかも、この床面７１１の下面が補強板によって支持されているので、防水パン本体７１の床面７１１が撓まない。
このようにすると、框材７２が防水パン本体７１の床側縁部７１３を覆って取り付けられる。
【００４０】
すると、床面７１１から框材７２の上までが高いので、履物に付着した土等の埃が防水パン本体７１の床面７１１に落下しても、この防水パン本体７１の床面７１１の埃等が框材７２によって遮られて台所の床材２６の上に上がり難いし、この框材７２によって床側縁部７１３が隠れ、この部分が美麗になる。
又、タイル８を、図５に示すように、防水パン本体７１の床面７１１に取り付ける。尚、タイル８は防水パン本体７１を床根太２５の上に載せる前に貼付けていてもよい。
【００４１】
すると、防水パン本体７１の床面７１１が美麗になるし、錆びたり、傷つかない。
出入り枠６６に扉６３を取り付け、出入り枠６６と外壁材５２との隙間にガスケット６９を取り付ける。
このようにして製造した建物ユニット２、屋根パネル３等を施工現場に運搬する。
【００４２】
施工現場では、予め設けられている基礎９の上に１階の建物ユニット２を据え付け、この１階の建物ユニット２の上に２階の建物ユニット２を据え付け、これ等の建物ユニット２の床梁２２や天井梁２３を相互に連結した後、最上階の建物ユニット２の上に屋根パネル３を取り付ける。
その後、床仕上げ材８５を台所６の床材２６の上に取り付けたり、その他の仕上げを行うとユニット建物１が完成する。
【００４３】
図７は本発明の別の実施例を示すもので、図７（イ）は床材受け部材により床材切り欠き縁部を受けていることを示す部分斜視図、（ロ）は床材受け部材の一例を示す断面図、（ハ）は床材受け部材の別の例を示す断面図である。
【００４４】
図７において、床梁２２に床根太２５，２５が差し渡されて取り付けられ、床根太２５に平行な床材２６の切欠き縁部２６１の下には床根太２５がない部分である。そこで、この状態で防水パン７を乗せると床材２６の切欠き縁部２６１が片持ちになり安全上問題である。そのため、床材２６の切欠き縁部２６１の下に床材受け部材２５Ａを取り付けることにより、防水パン７を安全に取り付けることができる。
この床材受け部材２５Ａは図７（ロ）に示すように、床梁２２の下フランジ２２１と床小梁２４で受ける構造となっているので、床梁２２の上フランジに間柱２９等が取り付けられても床材受け部材２５Ａと干渉することがない。
【００４５】
又、別の床材受け部材の例としては、図７（ハ）に示すように、床梁２２の下フランジ２２１で受け、床小梁２４とはＬ型金具２４１で床小梁横に固定する構造となっているので、上記床材受け部材２５Ａと同様な作用効果が得られる。
【００４６】
図８、図９は本発明の他の実施例を示すもので、図８（イ）は台所に使用される建物ユニットの勝手口の位置を示す平面図、（ロ）は床根太接続部材を取り付ける状態を示す斜視図、（ハ）は床材部材を取り付ける状態を示す斜視図、図９は上記床根太接続部材を取り付ける手順を示しており、（イ）は床根太接続部材を取り付けた平面図、（ロ）は（イ）の側面図、（ハ）は床材部材を取り付けた平面図である。
【００４７】
図８において、建物ユニット２Ａの妻側に勝手口を取り付けた例を示し、図８（イ）のＡ部を拡大して示す（ロ）において、床根太接続部材２５Ｃは一端が床梁２２の下フランジ２２１との受け部２５１Ｃを有し、接続部材本体２５２Ｃと接続金具２５４Ｃで接合されてなり、他端は床根太２５に固定する嵌合部２５３Ｃを有する。
【００４８】
そして、図８、図９において、床根太接続部材２５Ｃの取付け方法を説明する。先ず、床根太接続部材２５Ｃを隣接する床根太２５と連続する位置に取り付ける。次に床梁２２に下穴をあけタッピングネジ３１により床根太接続部材２５Ｃの一端側受け部２５１Ｃを固定する。他端側は隣接する床根太２５と嵌合させた上からスクリュー釘３２で床小梁２４に固定する。床根太接続部材２５Ｃの上面と端根太２５の上面に接着剤を塗布する。その上に床材部材２６Ａを床材２６と連続する位置に貼付ける。更に、床材部材２６Ａの上から床根太接続部材２５Ｃと端根太２５と共にスクリュー釘３３で固定する。
【００４９】
上記の例は、建物ユニット２Ａの妻側に勝手口を設けた例で、端根太２５の隣の根太が切り取られ、その部分に改めて床根太接続部材２５Ｃを取り付けた例で、防水パンが安全に取付け可能となり、また、床梁２２の上フランジに間柱２９等が取り付けられても、この床根太接続部材２５Ｃを用いれば干渉することがない。その結果、建物ユニットの妻側においても、勝手口を自由な位置取り付けられ、間取りの自由度が増す。
【００５０】
以上、この発明の実施例を図面により述べてきたが、具体的な構成はこれらの実施例に限られるものでなく、この発明の要旨を逸脱しない範囲の設計の変更等があってもこの発明に含まれる。例えば、上述の実施例では２種類のユニット建物の勝手口の構造について述べたが、床根太の上に床材が取り付けられた床を備えた部屋の勝手口であれば如何なる建物でもよい。即ち、別の種類のユニット建物でもよいし、更に、ユニット建物でない建物でもよい。
【００５１】
【発明の効果】
出入口に隣接した床材が切り取られ、この床材の切り取られた部分に防水パン本体の床面を床根太の上に、扉側縁部を沓摺りの上に、床側縁部を床材の上にそれぞれ載せて防水パン本体が取り付けられているので、防水パンの床面が撓み難いし、防水パン本体の機械的強度を従来より小さくすることができる。
【００５２】
又、扉側縁部は床面の出入口に接する部分が床根太から扉下の沓摺り部分までの距離とほぼ同じ高さに立ち上げられたものであるし、床側縁部は床面の床材に接する部分が床材の厚みとほぼ同じ高さに立ち上げられたものであるから、上記のように、防水パンの床面を床根太の上に載せると、無理なく、この扉側縁部を扉下の沓摺り部分の上に載せることができるし、この床側縁部を台所の床材の上に載せることができる。
【００５３】
床側縁部の上に床側縁部を覆った状態に框材が取り付けられているから、履物に付着した土等の埃が防水パンの床面に落下しても、この防水パンの床面の埃等が框材によって遮られて台所の床の上に上がり難いし、この框材によって床側縁部が隠れるので、この部分が美麗になる。
【００５４】
出入口に隣接した床材が切り取られ、床根太に平行して床材切欠き縁部となる部分で床根太のない部分に、一端を床梁に、他端を床小梁に固定する床材受け部材を設け、その上に床材切欠き縁部が張設されているものである。即ち、床材切欠き縁部に床根太がない場合には、この床材受け部材を設けることにより、床材と床根太（床材受け部材含む）が片持ちにならず、防水パンを安全に取り付けることができる。
また、床材切欠き縁部に床根太がなくとも、本発明の床材受け部材を設けることにより、防水パンが安全に取り付けられるから、勝手口の取付け位置や巾に限定されず間取りの自由度が増す。
【００５５】
出入口に隣接した床材及び床根太が切り取られ、床根太に平行して床材切欠き縁部となる部分で、一端を床梁に、他端を床小梁及び切り取られた床根太端部に固定する床根太接続部材を設け、その上に床材切欠き縁部が張設されているものである。即ち、床材切欠き縁部の床根太が間柱を設ける為に切り取られた場合には、この床根太接続部材を後から取り付けることにより、床材と床根太（床根太接続部材含む）が片持ちにならず、防水パンを安全に取り付けることができる。
また、本発明の床根太接続部材は、例えば、床梁みぞ形鋼の下フランジで受けることにより、床梁直上に設けられた間柱と干渉することがなく、勝手口の取付け位置や巾に限定されず間取りの自由度が増す。
【００５６】
請求項４記載の発明では、防水パン本体が鋼板製であるから、この防水パン本体の機械的強度が大きく、撓み難い。
【００５７】
また、この請求項４記載の発明では、防水パン本体の床面にタイルが貼られているから、防水パン本体の床面が美麗になるし、錆びたり、傷ついたりすることがなくなる。
【図面の簡単な説明】
【図１】本発明の一実施例を示すもので、（イ）は台所に使用される建物ユニットの勝手口の位置を示す説明図、（ロ）は勝手口近傍の水平断面図、（ハ）は（ロ）のＡ−Ａ線における断面図、（ニ）は（ロ）のＢ−Ｂ線における断面図である。
【図２】ユニット建物を示す説明図である。
【図３】建物ユニットの骨格を示す説明図である。
【図４】（イ）は防水パン本体の平面図、（ロ）は（イ）のＣ−Ｃ線における断面図、（ハ）は（イ）のＤ−Ｄ線における断面図である。
【図５】防水パン本体の床面に貼り付けられるタイルは配置を示す平面図である。
【図６】・  は框材の平面図、（ロ）は（イ）のＥ−Ｅ線における断面図である。
【図７】本発明の別の実施例を示すもので、（イ）は床材受け部材により床材切り欠き縁部を受けていることを示す部分斜視図、（ロ）は床材受け部材の一例を示す断面図、（ハ）は床材受け部材の別の例を示す断面図である。
【図８】本発明の他の実施例を示すもので、（イ）は台所に使用される建物ユニットの勝手口の位置を示す平面図、（ロ）は床根太接続部材を取り付ける状態を示す斜視図、（ハ）は床材部材を取り付ける状態を示す斜視図である。
【図９】・  は床根太接続部材を取り付けた平面図、（ロ）は（イ）の側面図、（ハ）は床材部材を取り付けた平面図である。
【図１０】従来の勝手口の構造を示し、（イ）は床材切り欠き縁部が床根太に支持された例を示す説明図、（ロ）は床材切り欠き縁部に床根太がない例を示す説明図、（ハ）は間柱と床根太が干渉している例を示す斜視図である。
【符号の説明】
１                    ユニット建物
２，２Ａ              建物ユニット
２２                  床梁
２４                  床小梁
２５                  床根太
２５Ａ，２５Ｂ        床材受け部材
２５Ｃ                床根太接続部材
２６                  床材
６                    台所
６２                  出入口
６３                  扉
６８                  沓摺り
７                    防水パン
７１                  防水パン本体
７１１                床面
７１２                扉側縁部
７１３                床側縁部
７２                  框材
７３                  補強板
【図１】
0004176916.tif 000002
【図２】
0004176916.tif 000003
【図３】
0004176916.tif 000004
【図４】
0004176916.tif 000005
【図５】
0004176916.tif 000006
【図６】
0004176916.tif 000007
【図７】
0004176916.tif 000008
【図８】
0004176916.tif 000009
【図９】
0004176916.tif 000010
【図１０】
0004176916.tif 000011